(57)【要約】【課題】迅速に画像を表示させて注文処理を円滑に実行させ、ＥＸＩＦ情報が記録されていない画像ファイルが混在している場合でも画像の選択を容易にすることができる受付端末及び制御プログラム並びに注文処理方法の提供。【解決手段】受付端末２に、デジタルカメラやメディアなどから複数の画像ファイルと該複数の画像ファイルに関する情報が記述されたメタデータとを読み取る読み取り手段１５、メタデータから第１の日付情報を抽出し、各々の画像ファイルのＥＸＩＦ情報から第２の日付情報を抽出する日付情報抽出手段１６、第１の日付情報に基づいて複数の画像ファイルの表示順を設定する順序設定手段１７、この表示順に従って各々の画像ファイルの画像を表示手段に表示させ、先に表示された画像に対応付けて第２の日付情報で特定される日付を表示手段に表示させる制御を行う表示制御手段１８など設ける。【選択図】図４
2006121375.tif 000002
【特許請求の範囲】
【請求項１】
デジタルカメラ又はデジタルカメラ用メディアから、少なくとも複数の画像ファイルと該複数の画像ファイルに関する情報が記述されたメタデータとを読み取る読み取り手段と、
前記メタデータから各々の前記画像ファイルに対応付けられた第１の日付情報を抽出し、各々の前記画像ファイルのヘッダ情報から第２の日付情報を抽出する日付情報抽出手段と、
前記第１の日付情報に基づいて、前記複数の画像ファイルの表示順を設定する順序設定手段と、
前記複数の画像ファイルの中から処理の対象となる画像ファイルを選択させるための画像選択画面を表示手段に表示させる際に、前記表示順に従って各々の前記画像ファイルの画像を表示させ、先に表示された前記画像に対応付けて前記第２の日付情報で特定される日付を表示させる表示制御手段と、を少なくとも備えることを特徴とする注文端末。
【請求項２】
デジタルカメラ又はデジタルカメラ用メディアから、少なくとも、特定種類の画像ファイルを含む複数の画像ファイルと該複数の画像ファイルに関する情報が記述されたメタデータとを読み取る読み取り手段と、
前記メタデータから各々の前記画像ファイルに対応付けられた第１の日付情報を抽出し、前記特定種類以外の画像ファイルのヘッダ情報から第２の日付情報を抽出する日付情報抽出手段と、
前記第１の日付情報に基づいて、前記複数の画像ファイルの表示順を設定する順序設定手段と、
前記複数の画像ファイルの中から処理の対象となる画像ファイルを選択させるための画像選択画面を表示手段に表示させる際に、前記表示順に従って各々の前記画像ファイルの画像を表示させ、先に表示された前記特定種類以外の画像ファイルの前記画像に対応付けて前記第２の日付情報で特定される日付を表示させ、先に表示された前記特定種類の画像ファイルの前記画像に対応付けて前記第１の日付情報で特定される日付を表示させる表示制御手段と、を少なくとも備えることを特徴とする注文端末。
【請求項３】
前記特定種類の画像ファイルは動画ファイルであることを特徴とする請求項２記載の注文端末。
【請求項４】
前記読み取り手段は、前記表示順に従って前記複数の画像ファイルを読み取ることを特徴とする請求項１乃至３のいずれか一に記載の注文端末。
【請求項５】
前記ヘッダ情報はＥＸＩＦ情報であることを特徴とする請求項１乃至４のいずれか一に記載の注文端末。
【請求項６】
コンピュータを、
複数の画像ファイルに関する情報が記述されたメタデータから各々の前記画像ファイルに対応付けられた第１の日付情報を抽出し、各々の前記画像ファイルのヘッダ情報から第２の日付情報を抽出する日付情報抽出手段、
前記第１の日付情報に基づいて、前記複数の画像ファイルの表示順を設定する順序設定手段、
前記複数の画像ファイルの中から処理の対象となる画像ファイルを選択させるための画像選択画面を表示手段に表示させる際に、前記表示順に従って各々の前記画像ファイルの画像を表示させ、先に表示された前記画像に対応付けて前記第２の日付情報で特定される日付を表示させる表示制御手段として機能させることを特徴とする制御プログラム。
【請求項７】
コンピュータを、
特定種類の画像ファイルを含む複数の画像ファイルに関する情報が記述されたメタデータから各々の前記画像ファイルに対応付けられた第１の日付情報を抽出し、前記特定種類以外の画像ファイルのヘッダ情報から第２の日付情報を抽出する日付情報抽出手段、
前記第１の日付情報に基づいて、前記複数の画像ファイルの表示順を設定する順序設定手段、
前記複数の画像ファイルの中から処理の対象となる画像ファイルを選択させるための画像選択画面を表示手段に表示させる際に、前記表示順に従って各々の前記画像ファイルの画像を表示させ、先に表示された前記特定種類以外の画像ファイルの前記画像に対応付けて前記第２の日付情報で特定される日付を表示させ、先に表示された前記特定種類の画像ファイルの前記画像に対応付けて前記第１の日付情報で特定される日付を表示させる表示制御手段として機能させることを特徴とする制御プログラム。
【請求項８】
前記特定種類の画像ファイルは動画ファイルであることを特徴とする請求項７記載の制御プログラム。
【請求項９】
前記ヘッダ情報はＥＸＩＦ情報であることを特徴とする請求項６乃至８のいずれか一に記載の制御プログラム。
【請求項１０】
デジタルカメラ又はデジタルカメラ用メディアから、複数の画像ファイルに関する情報が記述されたメタデータを読み取るステップと、
前記メタデータから各々の前記画像ファイルに対応付けられた第１の日付情報を抽出するステップと、
前記第１の日付情報に基づいて、前記複数の画像ファイルの表示順を設定するステップと、
前記デジタルカメラ又は前記デジタルカメラ用メディアから、前記複数の画像ファイルを読み取るステップと、
前記複数の画像ファイルの中から処理の対象となる画像ファイルを選択させるための画像選択画面に、前記表示順に従って各々の前記画像ファイルの画像を表示するステップと、
各々の前記画像ファイルのヘッダ情報から第２の日付情報を抽出するステップと、
前記画像選択画面の前記画像に対応付けて、前記第２の日付情報で特定される日付を表示するステップと、を少なくとも有することを特徴とする注文処理方法。
【請求項１１】
デジタルカメラ又はデジタルカメラ用メディアから、特定種類の画像ファイルを含む複数の画像ファイルに関する情報が記述されたメタデータを読み取るステップと、
前記メタデータから各々の前記画像ファイルに対応付けられた第１の日付情報を抽出するステップと、
前記第１の日付情報に基づいて、前記複数の画像ファイルの表示順を設定するステップと、
前記デジタルカメラ又は前記デジタルカメラ用メディアから、前記複数の画像ファイルを読み取るステップと、
前記複数の画像ファイルの中から処理の対象となる画像ファイルを選択させるための画像選択画面に、前記表示順に従って各々の前記画像ファイルの画像を表示するステップと、
前記特定種類以外の画像ファイルのヘッダ情報から第２の日付情報を抽出するステップと、
前記画像選択画面の、先に表示された前記特定種類以外の画像ファイルの前記画像に対応付けて前記第２の日付情報で特定される日付を表示し、前記特定種類の画像ファイルの前記画像に対応付けて前記第１の日付情報で特定される日付を表示するステップと、を少なくとも有することを特徴とする注文処理方法。
【請求項１２】
前記特定種類の画像ファイルは動画ファイルであることを特徴とする請求項１１記載の注文処理方法。
【請求項１３】
前記複数の画像ファイルを読み取るステップでは、前記表示順に従って前記複数の画像ファイルを読み取ることを特徴とする請求項１０乃至１２のいずれか一に記載の注文処理方法。
【請求項１４】
前記ヘッダ情報はＥＸＩＦ情報であることを特徴とする請求項１０乃至１３のいずれか一に記載の注文処理方法。
【発明の詳細な説明】
【技術分野】
【０００１】
本発明は、受付端末及び制御プログラム並びに注文処理方法に関する。
【背景技術】
【０００２】
近年、写真に関連する様々なサービスが提供されるようになってきている。例えば、ユーザがデジタルカメラで写真を撮影し、画像ファイルが記録されたデジタルカメラやデジタルカメラ用メディア、画像ファイルをバックアップしたＣＤ−Ｒなどをミニラボ等の写真店に持ち込むと、写真店では受付端末を用いてデジタルカメラやメディア、ＣＤ−Ｒから画像ファイルを読み取り、読み取った画像ファイルを用いて高精細な写真プリントを作成したり、該画像ファイルを他のＣＤ−Ｒなどの記録媒体に書き込むなどの処理を行う。また、店舗内に設置されたキオスク（無人の受付端末）を用いれば、上記写真プリントの作成や記録媒体への書き込みなどの処理をユーザ自身で行うこともできる（上記無人端末に関しては、例えば、下記特許文献１参照）。
【０００３】
【特許文献１】特開平１１−８８１７号公報（第３−４頁、第１図）
【発明の開示】
【発明が解決しようとする課題】
【０００４】
上記受付端末を用いて注文を行う場合、デジタルカメラやメディア、ＣＤ−Ｒから読み取られた画像ファイルの画像が画面上に表示され、ユーザは操作手段を操作して写真プリントの作成や記録媒体への書き込みの対象となる画像ファイルを選択することができるが、画像ファイルが多数の場合、多数の画像ファイルの中から所望の画像ファイルを選択するのは容易ではないことから、通常、受付端末では撮影日などの日付に基づいて画像ファイルを並び替え、その順番で画像を表示している。
【０００５】
しかしながら、従来の受付端末では画像ファイルを並び替えるための日付をＥＸＩＦ情報から抽出しているため、全ての画像ファイルにアクセスし、各々の画像ファイルからＥＸＩＦ情報を読み取り、ＥＸＩＦ情報の中から日付情報を抽出しなければならず、画像ファイルを並び替えて表示させるまでに時間がかかってしまい、その結果、その後の処理が滞ってしまい、注文処理を円滑に行うことができないという問題があった。
【０００６】
特に、ＣＤ−Ｒから画像ファイルを読み取る場合はＣＤ−Ｒへのアクセス自体に時間を要し、また、近年では大容量のメディアを安価に入手することができることから、メディア内に多数の画像ファイルが記録されている場合も多く、このような場合には上記問題が顕著になる。
【０００７】
また、近年のデジタルカメラは静止画のみならず動画も撮影できることから、静止画像ファイルと動画ファイルとが混在した状態で注文が行われる場合が多いが、動画ファイルにはＥＸＩＦ情報が記録されていないために日付情報を抽出することができず、その結果、ＥＸＩＦ情報が記録されていない画像ファイルが画像選択画面の最後尾に配置されてしまい、画像の選択が困難になり画像選択画面の操作性が悪くなるという問題もある。
【０００８】
本発明は、上記問題点に鑑みてなされたものであって、その主たる目的は、迅速に画像を表示させて注文処理を円滑に実行させ、また、ＥＸＩＦ情報が記録されていない画像ファイルが混在している場合でも画像の選択を容易にすることができる受付端末及び制御プログラム並びに注文処理方法を提供することにある。
【課題を解決するための手段】
【０００９】
上記目的を達成するため、本発明の注文端末は、デジタルカメラ又はデジタルカメラ用メディアから、少なくとも複数の画像ファイルと該複数の画像ファイルに関する情報が記述されたメタデータとを読み取る読み取り手段と、前記メタデータから各々の前記画像ファイルに対応付けられた第１の日付情報を抽出し、各々の前記画像ファイルのヘッダ情報から第２の日付情報を抽出する日付情報抽出手段と、前記第１の日付情報に基づいて、前記複数の画像ファイルの表示順を設定する順序設定手段と、前記複数の画像ファイルの中から処理の対象となる画像ファイルを選択させるための画像選択画面を表示手段に表示させる際に、前記表示順に従って各々の前記画像ファイルの画像を表示させ、先に表示された前記画像に対応付けて前記第２の日付情報で特定される日付を表示させる表示制御手段と、を少なくとも備えるものである。
【００１０】
また、本発明の注文端末は、デジタルカメラ又はデジタルカメラ用メディアから、少なくとも、特定種類の画像ファイルを含む複数の画像ファイルと該複数の画像ファイルに関する情報が記述されたメタデータとを読み取る読み取り手段と、前記メタデータから各々の前記画像ファイルに対応付けられた第１の日付情報を抽出し、前記特定種類以外の画像ファイルのヘッダ情報から第２の日付情報を抽出する日付情報抽出手段と、前記第１の日付情報に基づいて、前記複数の画像ファイルの表示順を設定する順序設定手段と、前記複数の画像ファイルの中から処理の対象となる画像ファイルを選択させるための画像選択画面を表示手段に表示させる際に、前記表示順に従って各々の前記画像ファイルの画像を表示させ、先に表示された前記特定種類以外の画像ファイルの前記画像に対応付けて前記第２の日付情報で特定される日付を表示させ、先に表示された前記特定種類の画像ファイルの前記画像に対応付けて前記第１の日付情報で特定される日付を表示させる表示制御手段と、を少なくとも備えるものであり、前記特定種類の画像ファイルは動画ファイルとすることができる。
【００１１】
本発明においては、前記読み取り手段は、前記表示順に従って前記複数の画像ファイルを読み取る構成とすることができる。
【００１２】
また、本発明においては、前記ヘッダ情報はＥＸＩＦ情報とすることができる。
【００１３】
また、本発明の制御プログラムは、コンピュータを、複数の画像ファイルに関する情報が記述されたメタデータから各々の前記画像ファイルに対応付けられた第１の日付情報を抽出し、各々の前記画像ファイルのヘッダ情報から第２の日付情報を抽出する日付情報抽出手段、前記第１の日付情報に基づいて、前記複数の画像ファイルの表示順を設定する順序設定手段、前記複数の画像ファイルの中から処理の対象となる画像ファイルを選択させるための画像選択画面を表示手段に表示させる際に、前記表示順に従って各々の前記画像ファイルの画像を表示させ、先に表示された前記画像に対応付けて前記第２の日付情報で特定される日付を表示させる表示制御手段として機能させるものである。
【００１４】
また、本発明の制御プログラムは、コンピュータを、特定種類の画像ファイルを含む複数の画像ファイルに関する情報が記述されたメタデータから各々の前記画像ファイルに対応付けられた第１の日付情報を抽出し、前記特定種類以外の画像ファイルのヘッダ情報から第２の日付情報を抽出する日付情報抽出手段、前記第１の日付情報に基づいて、前記複数の画像ファイルの表示順を設定する順序設定手段、前記複数の画像ファイルの中から処理の対象となる画像ファイルを選択させるための画像選択画面を表示手段に表示させる際に、前記表示順に従って各々の前記画像ファイルの画像を表示させ、先に表示された前記特定種類以外の画像ファイルの前記画像に対応付けて前記第２の日付情報で特定される日付を表示させ、先に表示された前記特定種類の画像ファイルの前記画像に対応付けて前記第１の日付情報で特定される日付を表示させる表示制御手段として機能させるものである。
【００１５】
また、本発明の注文処理方法は、デジタルカメラ又はデジタルカメラ用メディアから、複数の画像ファイルに関する情報が記述されたメタデータを読み取るステップと、前記メタデータから各々の前記画像ファイルに対応付けられた第１の日付情報を抽出するステップと、前記第１の日付情報に基づいて、前記複数の画像ファイルの表示順を設定するステップと、前記デジタルカメラ又は前記デジタルカメラ用メディアから、前記複数の画像ファイルを読み取るステップと、前記複数の画像ファイルの中から処理の対象となる画像ファイルを選択させるための画像選択画面に、前記表示順に従って各々の前記画像ファイルの画像を表示するステップと、各々の前記画像ファイルのヘッダ情報から第２の日付情報を抽出するステップと、前記画像選択画面の前記画像に対応付けて、前記第２の日付情報で特定される日付を表示するステップと、を少なくとも有するものである。
【００１６】
また、本発明の注文処理方法は、デジタルカメラ又はデジタルカメラ用メディアから、特定種類の画像ファイルを含む複数の画像ファイルに関する情報が記述されたメタデータを読み取るステップと、前記メタデータから各々の前記画像ファイルに対応付けられた第１の日付情報を抽出するステップと、前記第１の日付情報に基づいて、前記複数の画像ファイルの表示順を設定するステップと、前記デジタルカメラ又は前記デジタルカメラ用メディアから、前記複数の画像ファイルを読み取るステップと、前記複数の画像ファイルの中から処理の対象となる画像ファイルを選択させるための画像選択画面に、前記表示順に従って各々の前記画像ファイルの画像を表示するステップと、前記特定種類以外の画像ファイルのヘッダ情報から第２の日付情報を抽出するステップと、前記画像選択画面の、先に表示された前記特定種類以外の画像ファイルの前記画像に対応付けて前記第２の日付情報で特定される日付を表示し、前記特定種類の画像ファイルの前記画像に対応付けて前記第１の日付情報で特定される日付を表示するステップと、を少なくとも有するものである。
【００１７】
このように、本発明の構成によれば、画像ファイルに関する情報が記述されたメタデータから各々の画像ファイルに対応付けられた第１の日付情報を抽出し、第１の日付情報に基づいて複数の画像ファイルの表示順を設定し、該表示順に従って各々の画像ファイルの画像を表示させ、その後、各々の画像ファイルのＥＸＩＦ情報などのヘッダ情報から第２の日付情報を抽出し、先に表示された画像に対応付けて第２の日付情報を表示手段に表示させる制御が行われるため、画像選択画面に迅速に画像を表示させることができ、注文処理を円滑に実行させることができる。また、ＥＸＩＦ情報が記録されていない画像ファイルが混在している場合でも、第１の日付情報に基づいて画像ファイルの並び替えが行われるため、画像の選択を容易にして操作性を向上させることができる。
【発明の効果】
【００１８】
本発明の受付端末及び制御プログラム並びに注文処理方法によれば、下記記載の効果を奏する。
【００１９】
本発明の第１の効果は、画像選択画面に日付に基づいて並び替えた画像を迅速に表示させて注文処理を円滑に実行させることができるということである。
【００２０】
その理由は、本発明の受付端末では、デジタルカメラやメディア、記録媒体などから画像ファイルに関する情報が記述されたメタデータを読み取り、該メタデータから各々の画像ファイルに対応付けられた更新日時などの第１の日付情報を抽出し、第１の日付情報に基づいて複数の画像ファイルの表示順を設定し、この表示順に従って各々の画像ファイルの画像を読み取って表示手段に表示させ、その後、各々の画像ファイルのＥＸＩＦ情報などのヘッダ情報から撮影日時などの第２の日付情報を抽出し、先に表示された画像に対応付けて第２の日付情報を表示手段に表示させる制御が行われるからである。
【００２１】
また、本発明の第２の効果は、画像の選択を容易にして操作性を向上させることができるということである。
【００２２】
その理由は、本発明の受付端末では、読み取った画像ファイルに中にＥＸＩＦ情報が記録された画像ファイルとＥＸＩＦ情報が記録されていない画像ファイル（例えば、動画ファイル）が混在している場合であっても、メタデータから読み取った第１の日付情報を用いて全ての画像ファイルを並び替えることができため、ＥＸＩＦ情報が記録されていない画像ファイルが最後尾に配置されてしまうなどの問題が生じないからである。
【発明を実施するための最良の形態】
【００２３】
本発明の注文端末は、その好ましい一実施の形態において、デジタルカメラやメディアなどから少なくとも、複数の画像ファイルと該複数の画像ファイルに関する情報が記述されたメタデータとを読み取る読み取り手段と、メタデータから第１の日付情報を抽出し、各々の画像ファイルのＥＸＩＦ情報などのヘッダ情報から第２の日付情報を抽出する日付情報抽出手段と、第１の日付情報に基づいて複数の画像ファイルの表示順を設定する順序設定手段と、この表示順に従って各々の画像ファイルの画像を表示手段に表示させ、先に表示された画像に対応付けて第２の日付情報で特定される日付を表示手段に表示させる制御を行う表示制御手段と、表示手段及び操作手段と、画像ファイルと注文情報ファイルとをプリンタや記録媒体作成装置などの出力装置に送信するファイル送信手段とを少なくとも備える。これにより、画像選択画面には速やかに画像が表示され注文処理を円滑に実行させることができ、ＥＸＩＦ情報の有り無しにかかわらず日付に基づいて並び替えられた画像を表示させることができるため、画像の選択を容易にして操作性を向上させることができる。
【実施例１】
【００２４】
まず、本発明の第１の実施例に係る受付端末及び制御プログラム並びに注文処理方法について、図１乃至図１７を参照して説明する。図１は、本実施例に係る注文処理システムの構成を模式的に示す図であり、図２及び図３は、受付端末のバリエーションを示す図、図４は、受付端末の機能を示すブロック図である。また、図５乃至図７は、本実施例の受付端末及びプリンタ並びに記録媒体作成装置を用いた注文処理の手順を示すフローチャート図であり、図８乃至図１４は、受付端末の表示手段に表示される画面構成例を示す図である。また、図１５及び図１６は、記録媒体におけるデータの記録構造を示す図であり、図１７は、記録媒体に構造を模式的に示す図である。
【００２５】
図１に示すように、本実施例の注文処理システム１は、ミニラボなどに写真店やコンビニエンスストアなどの注文店などに設置され、写真プリントや記録媒体の作成を指示する受付端末２と、写真店や生産店などに設置されるプリント作成装置１１ａや記録媒体作成装置１１ｂなどの出力装置１０とで構成され、これらはＬＡＮやＷＡＮ、ＶＡＮなどの通信ネットワークを介して接続されている。
【００２６】
また、図４に示すように、本実施例の受付端末２は、スマートメディア、コンパクトフラッシュ（登録商標）、メモリースティック、ＳＤメモリーカード、マルチメディアカードなどのデジタルカメラ９用又はカメラ付き携帯電話機９ａ用の記録媒体（以下、メディア８と呼ぶ。）を装填するメディア装填部５や、デジタルカメラ９やカメラ付き携帯電話機９ａ等の撮影機器（以下、デジタルカメラ９として説明する。）を有線又は無線、赤外線等によって接続するための機器接続部６などを用いて、少なくとも、複数の画像ファイルと該複数の画像ファイルに関する情報が記述されたメタデータとを読み取る読み取り手段１５と、メタデータから各々の画像ファイルに対応付けられた第１の日付情報を抽出し、各々の画像ファイルのＥＸＩＦ情報などのヘッダ情報（以下、ＥＸＩＦ情報として説明する。）から第２の日付情報を抽出する日付情報抽出手段１６と、第１の日付情報に基づいて複数の画像ファイルの表示順を設定する順序設定手段１７と、設定された表示順に従って各々の画像ファイルの画像を表示手段に表示させ、先に表示された画像に対応付けて第２の日付情報で特定される日付を表示手段に表示させる制御などを行う表示制御手段１８と、ＬＣＤ、ＣＲＴ等の表示手段３と、ボタン、キーボード、マウス等の操作手段４と、画像ファイルや注文情報ファイルを出力装置１０に送信するファイル送信手段１９とを備え、必要に応じて、注文番号が記録されたレシートを出力するレシートプリンタ７などが接続されている。なお、上記各手段はハードウェアとして構成されていてもよいし、コンピュータを、少なくとも日付情報抽出手段１６、順序設定手段１７及び表示制御手段１８として機能させる制御プログラムとして構成し、該制御プログラムを受付端末２にインストールして実行する構成としてもよい。
【００２７】
また、本実施例のプリント作成装置１１ａは、銀塩プリンタや昇華プリンタ、インクジェットプリンタなどの任意の種類のプリンタを用いることができ、プリント作成装置１１ａには、少なくとも、注文情報ファイルに基づいて所定のプリントサイズ（Ｅ、Ｌ、ＬＤ、２Ｌ、２ＬＤ、ＫＧ、８つ、６つ、４つ、６つＷ、４つＷ、Ａ４、Ａ３など）、所定の種別（銀塩プリント、昇華プリントなど）、所定の形態（個別のプリント、インデックスプリント、ジャケットプリントなど）の写真プリント１２の作成を行う機能を備え、記録媒体作成装置１１ｂには、少なくとも、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填する記録媒体装填部１４などの書き込み手段を備えている。なお、図１では、受付端末２とプリント作成装置１１ａと記録媒体作成装置１１ｂとを別々の装置として記載しているが、例えば、図２に示すように、受付端末２と記録媒体作成装置１１ｂの機能を兼ね備えたコンピュータ機器としてもよいし、図３に示すように、受付端末２とプリント作成装置１１ａと記録媒体作成装置１１ｂとが一体となったキオスク（無人端末）などとしてもよい。
【００２８】
次に、上記構成の受付端末２を用いた注文処理の手順について、図５乃至図７のフローチャート図を参照して説明する。
【００２９】
まず、受付端末２を起動すると、表示手段３に例えば、図８に示すような作業選択画面２０が表示される。この作業選択画面２０には、画像ファイルから写真プリント１２を作成するのか、画像ファイルを記録した記録媒体１３を作成するのか、又はその双方を作成するのかなどの作業を選択するボタンが表示され、ステップＳ１０１で、ユーザはその中から所望の作業を選択する。その後、ステップＳ１０２で、メディア装填部５にメディア８を装填、又は機器接続部６にデジタルカメラ９を接続する。
【００３０】
次に、ステップＳ１０３で選択された作業を判断し、写真プリント１２の作成又は写真プリント１２及び記録媒体１３の双方の作成が選択された場合は、ステップＳ１０４で、表示制御手段１８は、表示手段３に例えば図９に示すような写真プリント１２のプリントサイズをユーザに選択させるためのプリントサイズ選択画面２１を表示させる。このプリントサイズ選択画面２１には、Ｅ、Ｌ、ＬＤ、２Ｌ、２ＬＤ、ＫＧ、８つ、６つ、４つ、６つＷ、４つＷ、Ａ４、Ａ３などの各種プリントサイズが選択可能に表示されており、ユーザは操作手段４を操作して所望のプリントサイズを選択する。
【００３１】
次に、ステップＳ１０５で、表示制御手段１８は、表示手段３に例えば図１０に示すような納期をユーザに選択させるための納期選択画面２２を表示させる。この納期選択画面２２には、特急、普通、翌日などの各種納期が選択可能に表示されており、ユーザは操作手段４を操作して所望の納期を選択する。
【００３２】
次に、ステップＳ１０３からＳ１０５の処理と並行して、ステップＳ１０６で、読み取り手段１５は、メディア８やデジタルカメラ９に記録された画像ファイルを検索し、拡張子やファイル容量の上限、下限の範囲内であるかなどのファイルチェックを行い、ステップＳ１０７で対象となる画像ファイルをリスト化する。
【００３３】
次に、画像ファイルの表示順を設定する処理を行うが、その際、従来の受付端末では、表示順を設定するための日付を特定するために各々の画像ファイルにアクセスしてＥＸＩＦ情報を読み取り、ＥＸＩＦ情報の中から各々の画像ファイルに対応付けられた日付情報を抽出する必要があったため、日付を特定するまでに時間がかかってしまい、表示順の設定を迅速に行うことができないという問題があった。そこで本実施例では、ＥＸＩＦ情報から抽出した日付情報を用いて日付を特定するではなく、画像ファイルに関する情報が一括して記述されているメタデータを利用し、該メタデータから抽出した日付情報を用いて日付を特定することにより、表示順の設定の基準となる日付を速やかに特定できるようにしている。
【００３４】
具体的には、ステップＳ１０８で、読み取り手段１５は、デジタルカメラ９やメディア８からメタデータを読み取り、日付情報抽出手段１６は、メタデータに記述された情報の中から各々の画像ファイルに対応付けられた日付情報（第１の日付情報と呼ぶ。）を抽出する。なお、メタデータは各々の画像ファイルに対応付けられた日付情報が記述されている限りにおいて、その構成や記述言語、ファイル形式などは特に限定されないが、例えば、Windows（登録商標）をＯＳとして動作する受付端末３を使用する場合は、Windows（登録商標）のファイル一覧画面で各々の画像ファイルに対して表示されるプロパティ情報（ファイル名、拡張子、作成日時、更新日時、ファイル容量など）が記述されたメタデータを用いることができ、上記プロパティ情報の中の更新日時には撮影日時または更新日時が記録されることから、この更新日時を第１の日付情報として利用することができる。
【００３５】
そして、ステップＳ１０９で、順序設定手段１７は、上記ステップで抽出された第１の日付情報に基づいて複数の画像ファイルの表示順を設定し、ステップＳ１１０で、読み取り手段１５は、設定された表示順に従ってデジタルカメラ９やメディア８から画像ファイルを読み取る。そして、表示制御手段１８は、表示手段３に、例えば図１１に示すような一括選択画面２３を表示させた後、ステップＳ１１１で、表示手段３に、例えば図１２に示すような画像選択画面２４を表示させ、この画像選択画面２４に読み取った画像ファイルの画像を設定された表示順に従って表示させる。なお、図では画像ファイルの表示順を見やすくするために一部の画像ファイルに基づく画像（ここでは、上段の左から３つの画像）を拡大した図も合わせて記載している。また、図のファイル構成の場合に、画像ファイルをファイル名順に表示させると、DSC00001.jpg、DSC00002.jpg、DSC00003.jpg…のようになるが、本実施例では第１の日付情報に基づいて設定された表示順で画像ファイルが表示されるため、DSC00001.jpg、DSC00101.jpg、DSC00002.jpg…となっている。
【００３６】
上記構成の画像選択画面２４を用いて画像の選択を行ってもよいが、本実施例では、更に画像の選択が容易になるように、画像ファイルの画像が表示された後（全ての画像ファイルの画像が表示された後でもよいし、一部の画像ファイルの画像が表示された後でもよい。）、ステップＳ１１２で、日付情報抽出手段１６は、各々の画像ファイルのＥＸＩＦ情報から第２の日付情報を読み取る。なお、ＥＸＩＦ情報には対応する画像ファイルに関する様々な情報（画像タイトル、デジタルカメラのメーカ名、モデル名、撮影日時、作成日時、変更日時、色空間情報、画素数情報、解像度、撮影条件など）が記述されているが、その中の撮影日時を第２の日付情報として利用することが好ましい。
【００３７】
そして、ステップＳ１１３で、表示制御手段１８は、例えば、図１３に示すように、画像選択画面２４の各々の画像ファイルの画像に対応付けて第２の日付情報で特定される日付を表示させ、ステップＳ１１４で、ユーザは画像選択画面２４に表示された画像を閲覧して、写真プリント１２の作成又は記録媒体への書き込みを希望する画像ファイルを選択する。なお、第２の日付情報の表示方法、表示位置、表示形態は任意であり、各々の画像ファイルの画像と第２の日付情報との対応関係が明確であればよく、図のように各々の画像中に第２の日付情報を表示してもよいし、画像の近傍に第２の日付情報を表示してもよい。
【００３８】
このように、各々の画像ファイルのＥＸＩＦ情報から日付情報を抽出し、この日付情報に基づいて画像ファイルの表示順を設定するのではなく、メタデータから第１の日付情報を抽出し、この第１の日付情報に基づいて画像ファイルの表示順を設定するため、表示順を設定するまでに要する時間を大幅に短縮することができ、また、設定された表示順で画像ファイルを読み取って画像を表示し、その後、該画像に対応付けられた日付を表示しているため、画像選択画面２４に画像を表示するまでの時間も短縮することができる。これにより、ユーザは画像の選択などの次の処理を進めることができるため、処理の滞りを防止して注文処理を円滑に実行させることができる。
【００３９】
次に、ステップＳ１１５で、写真プリント１２の作成が選択されている場合に、ステップＳ１１６で、プリント対象となる全ての画像ファイルに第２の日付情報が記録されていない場合は、写真プリント１２に日付を書き込むことができないため、ステップＳ１２０にスキップする。また、ステップＳ１１６で、プリント対象となる少なくとも１つの画像ファイルに第２の日付情報が記録されている場合は、写真プリント１２に日付を書き込むことができるため、ステップＳ１１７で、表示制御手段１８は、例えば、図１４に示すような、写真プリント１２に日付を書き込むか否かを選択するボタンが表示された日付有り／無し選択画面２５を表示手段３に表示させる。
【００４０】
そして、ステップＳ１１８で、ユーザが日付有り／無し選択画面２５で日付無しを選択した場合は、ステップＳ１２０で、画像ファイル又は注文情報ファイルの少なくとも一方の所定の記述場所にその画像ファイルに基づく画像に日付が書き込まれないようにする処理を行うなどして、日付無しに設定する。この日付が書き込まれないようにする処理として、例えば、ＥＸＩＦ情報の中のユーザコメント記述場所などに、日付を書き込まない設定であることを示す文字（例えば”日付書き込みなし”）や数字、記号などの情報を書き込む処理や、ＥＸＩＦ情報の中の第２の日付情報を削除する処理などとすることができる。また、ＤＰＯＦの注文情報ファイルが作成されている場合は、自動プリントファイル（AUTPRINT.MRK）の中の日付指定に関する記述場所（CFG DSC="2004.09.22"-ATR DTM）に空欄の日付情報（CFG DSC="    .  .  "、CFG DSC="    /  /  "、CFG DSC="          "など）を書き込む処理や、上記日付指定に関する記述場所から日付情報を削除する処理などとすることもできる。
【００４１】
また、ステップＳ１１８で、ユーザが日付有り／無し選択画面２５で日付有りを選択した場合は、ステップＳ１１９で、注文情報ファイルの日付指定に関する記述場所にＥＸＩＦ情報に記述された日付情報を書き込むなどして、日付有りに設定する。
【００４２】
その後、ステップＳ１２１で、ファイル送信手段１９は、選択された画像ファイルと注文情報ファイルとをネットワークを介して設定されたプリント作成装置１１ａや記録媒体作成装置１１ｂなどの出力装置１０に送信すると共に、レシートプリンタ７を用いて注文番号が記録されたレシートを出力し、ユーザに渡して受付端末２の処理を終了する。
【００４３】
一方、プリント作成装置１１ａは、ステップＳ２０１で、受付端末２から送信された画像ファイル及び注文情報ファイルを受信し、ステップＳ２０２で、該注文情報ファイルに基づいて、選択されたプリントサイズの写真プリント１２を作成する。
【００４４】
また、ステップＳ２０３で記録媒体１３の作成を行う場合は、ステップＳ２０４で、記録媒体作成装置１１ｂの記録媒体装填部１４にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填し、ステップＳ２０５で、必要に応じて、記録媒体１３の所定の領域（例えば、論理アドレス領域外）から識別情報を読み取る。なお、論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００４５】
ここで、一般的な記録媒体１３の構造について、図１７を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができるため、上記識別情報として有効である。
【００４６】
そして、ステップＳ２０６で、該識別情報の有無に基づいて装填された記録媒体１３が特定の記録媒体であるかを判断し、特定の記録媒体である場合は、ステップＳ２０７で、必要に応じて、読み取った画像ファイルに基づいて動画データ（例えば、ＭＰＥＧ１形式の動画データ）を生成（エンコード）し、生成された動画データに基づいて、ＤＶＤプレーヤやＤＶＤレコーダ、ＨＤＤレコーダ、ゲーム機などの家電機器で再生可能な形式の家電機器用データ（例えば、Ｖｉｄｅｏ−ＣＤ形式のデータ）を生成（オーサリング）する。また、必要に応じて、画像ファイルのデータサイズを縮小したサムネイル画像ファイルやスクリーンネイル画像ファイルなどの縮小画像ファイルを生成する。
【００４７】
そして、ステップＳ２０８で、記録媒体１３に読み取った画像ファイルや生成したデータを記録するが、その際、家電機器ではデータを読み込むことができる記録領域が限定されるため、まず、家電機器用データを記録媒体１３の論理アドレス領域の内周側に書き込む。次に、必要に応じてセッションをクローズした後、読み取った画像ファイルやサムネイル画像ファイルやスクリーンネイル画像ファイルなどの縮小画像ファイル、スライドショープログラムなどのアプリケーション、スライドショーの設定ファイル、注文情報ファイルなど（以下、これらを総称してコンピュータ機器用データと呼ぶ。）を記録媒体１３の先に記録した家電機器用データの外側に書き込む。そして、ステップＳ２０９で、レシートと引き替えに、作成した写真プリント１２や記録媒体１３をユーザに納品する。
【００４８】
上記手順で作成された記録媒体１３のディレクトリ構造は、例えば、図１５に示すようになり、”DCIM”フォルダ内の画像ファイル、”MISC”フォルダ内の注文情報ファイル、”APPL”フォルダ内のスライドショープログラムやスライドショーの設定ファイル、自動起動ファイルなどでコンピュータ機器用データが構成され、”VCD”フォルダ内の画像ファイルをＶｉｄｅｏ−ＣＤ形式として関連付けるファイル、”SEGMENT”フォルダ内のＴＶ画面に表示する画像ファイル、”MPEGAV”フォルダ内の動画データ、”DAT”フォルダ内のＴＶ画面に静止画像ファイルを表示するためのアプリケーションなどで家電機器用データが構成される。なお、画像ファイルのディレクトリ構造は任意であるが、画像ファイルをコンピュータ機器などにバックアップした場合における管理を容易にするために、例えば、図１６に示すように、画像ファイルの格納場所を示すフォルダ（PS_Roll）の下位の階層にメディア８毎、機器毎、フィルム毎の画像ファイルの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像ファイルをCCYYMMDDxxxxxx（CC：画像ファイルの種別、YYMMDD：書き込み年月日を特定する数字、xxxxxx：シーケンシャル番号）などにリネームしてもよい。
【００４９】
このように、本実施例の受付端末２では、メタデータから各々の画像ファイルに対応付けられた更新日時などの第１の日付情報を抽出し、該第１の日付情報に基づいて画像ファイルの表示順を設定し、設定された表示順に従って画像ファイルを読み取って表示手段３に表示させ、各々の画像ファイルのＥＸＩＦ情報から撮影日時などの第２の日付情報を抽出し、先に表示された画像に対応付けて第２の日付情報で特定される日付を表示させる制御を行うため、日付順に並び替えられた画像ファイルの画像を速やかに画像選択画面２４に表示させることができ、画像選択などのその後の処理の滞りを防止し、注文処理を円滑に実行させることができる。
【実施例２】
【００５０】
次に、本発明の第２の実施例に係る受付端末及び制御プログラム並びに注文処理方法について、図１８乃至図２０を参照して説明する。図１８は、本実施例の受付端末を用いた注文処理の手順を示すフローチャート図であり、図１９及び図２０は、受付端末の表示手段に表示される画面構成例を示す図である。
【００５１】
前記した第１の実施例では、読み取った各々の画像ファイルにＥＸＩＦ情報が記述されている場合について説明したが、例えば、動画ファイルやＥＸＩＦ形式以外の静止画像ファイルなどにはＥＸＩＦ情報が記録されておらず、このような画像ファイルが混在している場合は、画像選択画面２４には該画像ファイルの画像が最後尾に表示されてしまい、また、この画像に対応付けて第２の日付情報で特定される日付を表示させることもできないため、画像ファイルが選択しにくくなり操作性が悪くなるという問題があった。そこで、本実施例では、ＥＸＩＦ情報が記録されている画像ファイルとＥＸＩＦ情報が記録されていない画像ファイル（特定種類の画像ファイル）とが混在している場合でも、複数の画像ファイルを日付順に並び替えて速やかに表示できるような構造及び方法を提案する。
【００５２】
具体的には、本実施例の受付端末２は、メディア８やデジタルカメラ９などから少なくとも特定種類の画像ファイルを含む複数の画像ファイルとメタデータとを読み取る読み取り手段１５と、メタデータから各々の画像ファイルに対応付けられた第１の日付情報を抽出し、特定種類以外の画像ファイルのＥＸＩＦ情報から第２の日付情報を抽出する日付情報抽出手段１６と、第１の日付情報に基づいて読み取った複数の画像ファイルの表示順を設定する順序設定手段１７と、設定された表示順に従って各々の画像ファイルの画像を表示手段に表示させ、先に表示された画像に対応付けて特定種類以外の画像ファイルに対しては第２の日付情報で特定される日付を、特定種類の画像ファイルに対しては第１の日付情報で特定される日付を表示手段に表示させる制御などを行う表示制御手段１８と、表示手段３と、操作手段４と、画像ファイルや注文情報ファイルを出力装置１０に送信するファイル送信手段１９とを備えている。また、上記各手段はハードウェアとして構成されていてもよいし、コンピュータを、少なくとも日付情報抽出手段１６、順序設定手段１７及び表示制御手段１８として機能させる制御プログラムとして構成し、該制御プログラムを受付端末２にインストールして実行する構成としてもよい。
【００５３】
以下、上記構成の受付端末２を用いた注文処理の手順について、図１８のフローチャート図を参照して説明する。
【００５４】
まず、第１の実施例と同様に、受付端末２を起動すると、表示手段３に作業選択画面２０が表示され、ステップＳ３０１で、ユーザはその中から所望の作業を選択する。その後、ステップＳ３０２で、メディア装填部５にメディア８を装填、又は機器接続部６にデジタルカメラ９を接続する。
【００５５】
次に、ステップＳ３０３で選択された作業を判断し、写真プリント１２の作成又は写真プリント１２及び記録媒体１３の双方の作成が選択された場合は、ステップＳ３０４で、表示制御手段１８は、表示手段３にプリントサイズ選択画面２１を表示させ、ユーザは操作手段４を操作して所望のプリントサイズを選択する。次に、ステップＳ３０５で、表示制御手段１８は、表示手段３に納期選択画面２２を表示させ、ユーザは操作手段４を操作して所望の納期を選択する。
【００５６】
次に、ステップＳ３０３からＳ３０５の処理と並行して、ステップＳ３０６で、読み取り手段１５は、メディア８やデジタルカメラ９に記録された画像ファイルを検索し、拡張子やファイル容量の上限、下限の範囲内であるかなどのファイルチェックを行い、ステップＳ３０７で対象となる画像ファイルをリスト化する。
【００５７】
次に、ステップＳ３０８で、読み取り手段１５は、デジタルカメラ９やメディア８からメタデータを読み取り、日付情報抽出手段１６は、メタデータに記述された情報の中から各々の画像ファイルに対応付けられた第１の日付情報を抽出する。
【００５８】
そして、ステップＳ３０９で、順序設定手段１７は、第１の日付情報に基づいて複数の画像ファイルの表示順を設定する。その際、本実施例の画像ファイルの中にはＥＸＩＦ情報が記録されていない特定種類の画像ファイルが混在しているが、メタデータの中には特定種類の画像ファイルを含む全ての画像ファイルに関する日付情報が記述されているため、全ての画像ファイルを第１の日付情報に基づいて並び替えることができ、従来のように動画ファイルが最後尾に配置されてしまうという問題が生じることはない。
【００５９】
次に、ステップＳ３１０で、読み取り手段１５は、設定された表示順に従ってデジタルカメラ９やメディア８から画像ファイルを読み取る。そして、表示制御手段１８は、表示手段３に一括選択画面２３を表示させた後、ステップＳ３１１で、表示手段３に、例えば図１９に示すような画像選択画面２４を表示させ、この画像選択画面２４に読み取った画像ファイルの画像を設定された表示順に従って表示させる。なお、図のファイル構成の場合に、画像ファイルをＥＸＩＦ情報に基づいて設定された表示順で表示させると、DSC00001.jpg、DSC00002.jpg、DSC00003.jpg…DSC00002.mov、DSC00006.movのようになるが、本実施例では第１の日付情報に基づいて設定された表示順で画像ファイルが表示されるため、DSC00001.jpg、DSC00002.mov、DSC00002.jpg…となっている。
【００６０】
次に、画像に対応付けて日付を表示するが、本実施例では画像ファイルの中にＥＸＩＦ情報が記述された画像ファイルとＥＸＩＦ情報が記録されていない特定種類の画像ファイルとが混在しているため、ステップＳ３１２で、画像ファイル中にＥＸＩＦ情報が記録されているか（すなわち、特定種類以外の画像ファイルであるか）を判断し、特定種類以外の画像ファイルに対しては、ステップＳ３１３で、日付情報抽出手段１６は、該特定種類以外の画像ファイルのＥＸＩＦ情報から第２の日付情報を読み取り、ステップＳ３１４で、表示制御手段１８は、例えば、図１４に示すように、画像選択画面２４の特定種類以外の画像ファイルの画像に対応付けて第２の日付情報で特定される日付を表示させる。
【００６１】
また、特定種類の画像ファイルに日付が表示されないと画像が選択しにくくなることから、本実施例では、ステップＳ３１５で、表示制御手段１８は、図１４に示すように特定種類の画像ファイルの画像に対応付けて第１の日付情報で特定される日付を表示させる。なお、第１及び第２の日付情報の表示方法、表示位置、表示形態は任意であり、各々の画像ファイルの画像と第１又は第２の日付情報との対応関係が明確であればよい。
【００６２】
その後、第１の実施例と同様に画像ファイルを選択し、写真プリント１２の作成が選択されている場合は、写真プリント１２に日付を書き込むか否かを設定し、ファイル送信手段１９を用いて、選択された画像ファイルと注文情報ファイルとをネットワークを介して設定されたプリント作成装置１１ａや記録媒体作成装置１１ｂなどの出力装置１０に送信する。また、プリント作成装置１１ａは、この注文情報ファイルに基づいて、選択されたプリントサイズの写真プリント１２を作成し、記録媒体作成装置１１ｂは記録媒体１３に読み取った画像ファイルや生成したデータを記録する。
【００６３】
このように、本実施例の受付端末２では、ＥＸＩＦ情報が記録されている画像ファイルとＥＸＩＦ情報が記録されていない特定種類の画像ファイルとが混在する場合において、メタデータから各々の画像ファイルに対応付けられた更新日時などの第１の日付情報を抽出し、該第１の日付情報に基づいて複数の画像ファイルの表示順を設定し、設定された表示順に従って画像ファイルを読み取って表示手段３に表示させ、特定種類以外の画像ファイルのＥＸＩＦ情報から撮影日時などの第２の日付情報を抽出し、先に表示された特定種類以外の画像ファイルの画像に対応付けて第２の日付情報で特定される日付を表示させ、先に表示された特定種類の画像ファイルの画像に対応付けて第１の日付情報で特定される日付を表示させる制御を行うため、ＥＸＩＦ情報が記録されていない特定種類の画像ファイルが混在していたとしても全ての画像ファイルを日付順に並び替えて表示させることができ、また、特定種類の画像ファイルに対しても日付を表示させることができ、画像選択画面における画像の選択を容易にし、操作性を向上させることができる。
【００６４】
なお、上記実施例では、デジタルカメラ９やメディア８に記録された画像ファイルを用いた処理について説明したが、本発明は上記実施例に限定されるものではなく、ネガフィルムから読み取った画像ファイル、通信ネットワークを介して取得した画像ファイルなどに対しても同様に適用することができる。
【図面の簡単な説明】
【００６５】
【図１】本発明の第１の実施例に係る注文処理システムの構成を模式的に示す図である。
【図２】本発明の第１の実施例に係る受付端末のバリエーションを示す図である。
【図３】本発明の第１の実施例に係る受付端末のバリエーションを示す図である。
【図４】本発明の第１の実施例に係る受付端末の機能を示すブロック図である。
【図５】本発明の第１の実施例に係る受付端末を用いた注文手順を示すフローチャート図である。
【図６】本発明の第１の実施例に係る受付端末を用いた注文手順を示すフローチャート図である。
【図７】本発明の第１の実施例に係る出力装置を用いた注文手順を示すフローチャート図である。
【図８】本発明の第１の実施例に係る受付端末の表示手段に表示される画面構成例（作業選択画面）を示す図である。
【図９】本発明の第１の実施例に係る受付端末の表示手段に表示される画面構成例（プリントサイズ選択画面）を示す図である。
【図１０】本発明の第１の実施例に係る受付端末の表示手段に表示される画面構成例（納期選択画面）を示す図である。
【図１１】本発明の第１の実施例に係る受付端末の表示手段に表示される画面構成例（一括選択画面）を示す図である。
【図１２】本発明の第１の実施例に係る受付端末の表示手段に表示される画面構成例（画像選択画面）を示す図である。
【図１３】本発明の第１の実施例に係る受付端末の表示手段に表示される画像選択画面の他の構成を示す図である。
【図１４】本発明の第１の実施例に係る受付端末の表示手段に表示される画面構成例（日付有り／無し選択画面）を示す図である。
【図１５】本発明の第１の実施例に係る記録媒体のデータ記録構造を示す図である。
【図１６】本発明の第１の実施例に係る記録媒体のデータ記録構造の他の例を示す図である。
【図１７】記録媒体（ＣＤ−Ｒ）の構造を模式的に示す図である。
【図１８】本発明の第２の実施例に係る受付端末を用いた注文手順を示すフローチャート図である。
【図１９】本発明の第２の実施例に係る受付端末の表示手段に表示される画面構成例（画像選択画面）を示す図である。
【図２０】本発明の第２の実施例に係る受付端末の表示手段に表示される画像選択画面の他の構成を示す図である。
【符号の説明】
【００６６】
１  注文処理システム
２  受付端末
３  表示手段
４  操作手段
５  メディア装填部
６  機器接続部
７  レシートプリンタ
８  メディア
９  デジタルカメラ
９ａ  カメラ付き携帯電話機
１０  出力装置
１１ａ  プリント作成装置
１１ｂ  記録媒体作成装置
１２  写真プリント
１３  記録媒体
１４  記録媒体装填部
１５  読み取り手段
１６  日付情報抽出手段
１７  順序設定手段
１８  表示制御手段
１９  ファイル送信手段
２０  作業選択画面
２１  プリントサイズ選択画面
２２  納期選択画面
２３  一括選択画面
２４  画像選択画面
２５  日付有り／無し選択画面
１００  ポリカーボネート基板
１０１  有機色素層
１０２  反射層
１０３  保護層
【図１】
2006121375.tif 000003
【図２】
2006121375.tif 000004
【図３】
2006121375.tif 000005
【図４】
2006121375.tif 000006
【図５】
2006121375.tif 000007
【図６】
2006121375.tif 000008
【図７】
2006121375.tif 000009
【図８】
2006121375.tif 000010
【図９】
2006121375.tif 000011
【図１０】
2006121375.tif 000012
【図１１】
2006121375.tif 000013
【図１２】
2006121375.tif 000014
【図１３】
2006121375.tif 000015
【図１４】
2006121375.tif 000016
【図１５】
2006121375.tif 000017
【図１６】
2006121375.tif 000018
【図１７】
2006121375.tif 000019
【図１８】
2006121375.tif 000020
【図１９】
2006121375.tif 000021
【図２０】
2006121375.tif 000022